【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
光干渉断層撮像装置により得られた３次元の網膜の断層像における網膜の層構造を解析し、各層の境界を抽出する解析手段と、
前記抽出された前記網膜の層の境界を用いて、前記網膜の断層像における対象に基づいて少なくとも一つの層を選択する選択手段と、
前記対象と、前記選択された層を構成する複数のボクセルの輝度値の頻度分布とに基づいて、当該複数のボクセル各々の不透明度を示す不透明度関数を生成する生成手段と、
前記生成された不透明度関数を用いて、前記網膜の断層像をボリュームレンダリングするボリュームレンダリング手段と
を具備することを特徴とする情報処理装置。
【請求項２】
前記生成手段は、
前記選択された層内における複数のボクセルの輝度値に基づいて、前記対象に対応するボクセルの不透明度を高くし、それ以外の組織に対応するボクセルの不透明度を低く処理する不透明度関数を生成する
ことを特徴とする請求項１記載の情報処理装置。
【請求項３】
前記対象を示す表示モードを設定する設定手段
を更に具備し、
前記選択手段は、
前記解析手段により抽出された前記網膜の層の境界を用いて、前記設定手段により設定された表示モードに基づいていずれかの網膜の層を選択する
ことを特徴とする請求項１記載の情報処理装置。
【請求項４】
前記選択手段は、
前記網膜の断層像における対象が血管である場合、内網状層を選択する
ことを特徴とする請求項１記載の情報処理装置。
【請求項５】
前記選択手段は、
前記網膜の断層像における対象が白斑である場合、神経線維層の下端から網膜色素上皮までの少なくとも１つの層を選択する
ことを特徴とする請求項１記載の情報処理装置。
【請求項６】
前記生成手段は、
前記選択された層内における複数のボクセルの輝度値に基づいて算出した平均値と標準偏差とを用いて、該輝度値に対して第１の基準値と該第１の基準値よりも大きな値を示す第２の基準値とを算出し、
前記第１の基準値以下の輝度値を持つボクセルを透明にし、前記第２の基準値を越える輝度値を持つボクセルを不透明にし、前記第１の基準値を越え且つ前記第２の基準値以下の輝度値を持つボクセルについては、前記第１の基準値から前記第２の基準値に輝度値が増加するにつれ不透明度を増加させる不透明度関数を生成する
ことを特徴とする請求項１、４及び５のいずれか１項に記載の情報処理装置。
【請求項７】
前記選択手段は、
前記網膜の断層像における対象がのう胞である場合、内顆粒層、外網状層、外顆粒層の少なくとも１つの層を選択する
ことを特徴とする請求項１記載の情報処理装置。
【請求項８】
前記生成手段は、
前記選択された層内における複数のボクセルの輝度値に基づいて算出した平均値と標準偏差とを用いて、該輝度値に対して第１の基準値と該第１の基準値よりも大きな値を示す第２の基準値とを算出し、
前記第１の基準値以下の輝度値を持つボクセルを不透明にし、前記第２の基準値を越える輝度値を持つボクセルを透明にし、前記第１の基準値を越え且つ前記第２の基準値以下の輝度値を持つボクセルについては、前記第１の基準値から前記第２の基準値に輝度値が増加するにつれ透明度を増加させる不透明度関数を生成する
ことを特徴とする請求項１又は７に記載の情報処理装置。
【請求項９】
前記光干渉断層撮像装置と通信可能に接続され、前記光干渉断層撮像装置により得られた３次元の網膜の断層像を取得する取得手段を更に具備することを特徴とする請求項１乃至８のいずれか１項に記載の情報処理装置。
【請求項１０】
３次元の網膜の断層像における対象に基づいて、前記網膜の断層像における網膜の層のうち少なくとも一つの層を選択する選択手段と、
前記選択された層を構成する複数のボクセルの輝度値の頻度分布に基づいて、当該複数のボクセル各々の不透明度を示す不透明度関数を生成する生成手段と、
を具備することを特徴とする情報処理装置。
【請求項１１】
前記生成された不透明度関数を用いてボリュームレンダリングされた前記網膜の断層像を表示手段に表示させる表示制御手段を更に具備することを特徴とする請求項１０に記載の情報処理装置。
【請求項１２】
３次元の網膜の断層像における網膜の層のうち少なくとも一つの層を構成する複数のボクセルの輝度値の頻度分布に基づいて、当該複数のボクセル各々の不透明度を示す不透明度関数を生成する生成手段と、
前記生成された不透明度関数を用いてボリュームレンダリングされた前記網膜の断層像を表示手段に表示させる表示制御手段と、
を具備することを特徴とする情報処理装置。
【請求項１３】
前記生成手段は、前記網膜の断層像における対象と前記頻度分布とに基づいて前記不透明度関数を生成することを特徴とする請求項１２に記載の情報処理装置。
【請求項１４】
コンピュータを、請求項１乃至１３のいずれか１項に記載の情報処理装置の各手段として機能させるためのプログラム。
【請求項１５】
光干渉断層撮像装置により得られた３次元の網膜の断層像における網膜の層構造を解析し、各層の境界を抽出する解析手段と、
前記抽出された前記網膜の層の境界を用いて、前記網膜の断層像における対象に基づいて少なくとも一つの層を選択する選択手段と、
前記対象と、前記選択された層を構成する複数のボクセルの輝度値の頻度分布とに基づいて、当該複数のボクセル各々の不透明度を示す不透明度関数を生成する生成手段と、
前記生成された不透明度関数を用いて、前記網膜の断層像をボリュームレンダリングするボリュームレンダリング手段と
を具備することを特徴とする情報処理システム。
【請求項１６】
３次元の網膜の断層像における対象に基づいて、前記網膜の断層像における網膜の層のうち少なくとも一つの層を選択する選択手段と、
前記選択された層を構成する複数のボクセルの輝度値の頻度分布に基づいて、当該複数のボクセル各々の不透明度を示す不透明度関数を生成する生成手段と、
を具備することを特徴とする情報処理システム。
【請求項１７】
３次元の網膜の断層像における網膜の層のうち少なくとも一つの層を構成する複数のボクセルの輝度値の頻度分布に基づいて、当該複数のボクセル各々の不透明度を示す不透明度関数を生成する生成手段と、
前記生成された不透明度関数を用いてボリュームレンダリングされた前記網膜の断層像を表示手段に表示させる表示制御手段と、
を具備することを特徴とする情報処理システム。
【請求項１８】
情報処理装置を用いた情報処理方法であって、
光干渉断層撮像装置により得られた３次元の網膜の断層像における網膜の層構造を解析し、各層の境界を抽出する工程と、
前記抽出された前記網膜の層の境界を用いて、前記網膜の断層像における対象に基づいて少なくとも一つの層を選択する工程と、
前記対象と、前記選択された層を構成する複数のボクセルの輝度値の頻度分布とに基づいて、当該複数のボクセル各々の不透明度を示す不透明度関数を生成する工程と、
前記生成された不透明度関数を用いて、前記網膜の断層像をボリュームレンダリングする工程と
を含むことを特徴とする情報処理方法。
【請求項１９】
情報処理装置を用いた情報処理方法であって、
３次元の網膜の断層像における対象に基づいて、前記網膜の断層像における網膜の層のうち少なくとも一つの層を選択する工程と、
前記選択された層を構成する複数のボクセルの輝度値の頻度分布に基づいて、当該複数のボクセル各々の不透明度を示す不透明度関数を生成する工程と、
を含むことを特徴とする情報処理方法。
【請求項２０】
情報処理装置を用いた情報処理方法であって、
３次元の網膜の断層像における網膜の層のうち少なくとも一つの層を構成する複数のボクセルの輝度値の頻度分布に基づいて、当該複数のボクセル各々の不透明度を示す不透明度関数を生成する工程と、
前記生成された不透明度関数を用いてボリュームレンダリングされた前記網膜の断層像を表示手段に表示させる工程と、
を含むことを特徴とする情報処理方法。
【請求項２１】
前記生成する工程において、前記網膜の断層像における対象と前記頻度分布とに基づいて前記不透明度関数を生成することを特徴とする請求項２０に記載の情報処理方法。
【手続補正２】
【補正対象書類名】明細書
【補正対象項目名】発明の名称
【補正方法】変更
【補正の内容】
【発明の名称】情報処理装置、情報処理方法、情報処理システム、及びプログラム
【手続補正３】
【補正対象書類名】明細書
【補正対象項目名】０００１
【補正方法】変更
【補正の内容】
【０００１】
本発明は、情報処理装置、情報処理方法、情報処理システム、及びプログラムに関する。
【手続補正４】
【補正対象書類名】明細書
【補正対象項目名】００１１
【補正方法】変更
【補正の内容】
【００１１】
上記課題を解決するため、本発明の一態様による情報処理装置は、光干渉断層撮像装置により得られた３次元の網膜の断層像における網膜の層構造を解析し、各層の境界を抽出する解析手段と、前記抽出された前記網膜の層の境界を用いて、前記網膜の断層像における対象に基づいて少なくとも一つの層を選択する選択手段と、前記対象と、前記選択された層を構成する複数のボクセルの輝度値の頻度分布とに基づいて、当該複数のボクセル各々の不透明度を示す不透明度関数を生成する生成手段と、前記生成された不透明度関数を用いて、前記網膜の断層像をボリュームレンダリングするボリュームレンダリング手段とを具備する。